【手続補正書】
【提出日】平成24年11月15日(2012.11.15)
【手続補正１】
【補正対象書類名】特許請求の範囲
【補正対象項目名】全文
【補正方法】変更
【補正の内容】
【特許請求の範囲】
【請求項１】
中空パイプ体を補強するために筒状の補強シートを当該中空パイプ体内に貼り付ける工法であって、以下の（１０１）〜（１０６）の要件を備える中空パイプ体補強シート貼付工法。
（１０１） 前記補強シートを細く畳んだものを気密性シートで形成された袋体内に入れ、内部の空気を抜いて圧縮した補強シート圧縮袋を用いる。
（１０２） 前記補強シート圧縮袋には、弁体が設けられた内部に連通する第一連通口が設けられる。
（１０３） 前記中空パイプ体側面に設けられた中空パイプ体内部に連通する孔であるパイロット孔から前記補強シート圧縮袋を前記中空パイプ体内部に挿入する挿入工程を有する。
（１０４） 前記挿入工程の後、前記第一連通口から接着剤を流入させ前記補強シート圧縮袋内部の前記補強シートに接着剤を含浸させる接着剤含浸工程を有する。
（１０５） 前記接着剤含浸工程の後、前記補強シート圧縮袋を構成する袋を前記パイロット孔から取り出す袋体取出工程を有する。
（１０６） 前記袋体取出工程の後、前記補強シート内部から外部へ力を加えて前記補強シートを前記中空パイプ体内に貼り付ける補強シート貼付工程を有する。
【請求項２】
前記第一連通口は、前記補強シート圧縮袋の一端側に設けられるとともに、前記補強シート圧縮袋の他端側には、弁体が設けられた内部に連通する第二連通口が設けられ、
前記接着剤含浸工程において、前記第一連通口から接着剤を流入させると同時に、前記第二連通口側は開放又はポンプにより吸引するものである
請求項１に記載の中空パイプ体補強シート貼付工法。
【請求項３】
前記第二連通口からポンプで吸引するものであって、ポンプで吸引された接着材を前記第一連通口から流入される接着剤に用いることで、接着剤を前記補強シート圧縮袋を循環させるものである請求項２に記載の中空パイプ体補強シート貼付工法。
【請求項４】
接着剤含浸工程において、前記第一連通口から一定量の接着剤を流入させた後に、前記第一連通口又は前記第二連通口のいずれか一方側を閉じて、他方側からポンプで吸引する補強シート圧縮袋再圧縮処理を行う請求項２又は３に記載の中空パイプ体補強シート貼付工法。
【請求項５】
前記中空パイプ体は立てた状態で固定されているものであって、
前記第一連通口は、前記補強シート圧縮袋の一端側に設けられ、
前記挿入工程において、前記第一連通口が上部に位置づけられるものである
請求項１から４のいずれか１項に記載の中空パイプ体補強シート貼付工法。
【請求項６】
中空パイプ体を補強するために筒状の補強シートを当該中空パイプ体内に貼り付ける工法であって、以下の（２０１）〜（２０６）の要件を備える中空パイプ体補強シート貼付工法。
（２０１） 前記補強シートを細く畳んだものを気密性シートで形成された袋体内に入れ、内部の空気を抜いて圧縮した補強シート圧縮袋を用いる。
（２０２） 前記補強シート圧縮袋には、弁体が設けられた内部に連通する第一連通口が設けられる。
（２０３） 前記第一連通口から接着剤を流入させ前記補強シート圧縮袋内部の前記補強シートに接着剤を含浸させる接着剤含浸工程を有する。
（２０４） 前記接着剤含浸工程の後、前記中空パイプ体側面に設けられた中空パイプ体内部に連通する孔であるパイロット孔から前記補強シート圧縮袋を前記中空パイプ体内部に挿入する挿入工程を有する。
（２０５） 前記挿入工程の後、前記補強シート圧縮袋を構成する袋を前記パイロット孔から取り出す袋体取出工程を有する。
（２０６） 前記袋体取出工程の後、前記補強シート内部から外部へ力を加えて前記補強シートを前記中空パイプ体内に貼り付ける補強シート貼付工程を有する。
【請求項７】
前記接着剤含浸工程において、接着剤を流入させた後に、前記第一連通口からポンプで吸引する補強シート圧縮袋再圧縮処理を行う請求項６に記載の中空パイプ貼付工法。
【請求項８】
前記第一連通口は、前記補強シート圧縮袋の一端側に設けられるとともに、前記補強シート圧縮袋の他端側には、弁体が設けられた内部に連通する第二連通口が設けられ、
前記補強シート圧縮袋再圧縮処理において、前記第一連通口からポンプで吸引することに代えて、前記第一連通口を閉じて前記第二連通口からポンプで吸引するものである
請求項７に記載の中空パイプ貼付工法。
【請求項９】
前記接着剤含浸工程において、前記第一連通口から接着剤を流入させた後に、前記補強シート圧縮袋に外部から圧力をかける圧力付加処理を行う請求項６から８のいずれか１項に記載の中空パイプ貼付工法。
【請求項１０】
中空パイプ体を補強するために筒状の補強シートを当該中空パイプ体内に貼り付ける工法であって、以下の（３０１）〜（３０４）の要件を備える中空パイプ体補強シート貼付工法。
（３０１） 前記補強シートを細く畳み、接着剤を含浸させた後、気密性シートで形成された袋体内に入れ、内部の空気を抜いて圧縮した補強シート圧縮袋を用いる。
（３０２） 前記中空パイプ体側面に設けられた中空パイプ体内部に連通する孔であるパイロット孔から前記補強シート圧縮袋を前記中空パイプ体内部に挿入する挿入工程を有する。
（３０３） 前記挿入工程の後、前記補強シート圧縮袋を構成する袋を前記パイロット孔から取り出す袋体取出工程を有する。
（３０４） 前記袋体取出工程の後、前記補強シート内部から外部へ力を加えて前記補強シートを前記中空パイプ体内に貼り付ける補強シート貼付工程を有する。
【請求項１１】
請求項１〜９のいずれか１項に記載の補強シート貼付工法に用いられる補強シート圧縮袋であって、
筒状の補強シートと、
細長く畳んだ前記補強シートを内部に入れる気密性シートで形成された袋体と、
前記袋体に設けられる弁体が設けられた当該袋体内部に連通する１以上の連通口とを有し、
前記袋体内に前記補強シートが入った状態で、少なくとも１つの連通口から空気を吸引することで前記袋体を圧縮した後に、すべての前記連通口の弁体を閉じた
補強シート圧縮袋。
【請求項１２】
請求項１０に記載の補強シート貼付工法に用いられる補強シート圧縮袋であって、
筒状の補強シートと、
細長く畳んだ前記補強シートを内部に入れる気密性シートで形成された袋体と、
を有し、
前記袋体内に接着剤が含浸された前記補強シートが入った状態で、空気を吸引することで前記袋体を圧縮した後に、内部を閉じた
補強シート圧縮袋。
【請求項１３】
前記補強シートには、内外を連通する線材である内部線材が設けられるものであって、
前記袋体の封止状態を保持したまま、前記内部線材の一部が前記袋体外部に表出しているものである請求項１１又は１２に記載の補強シート圧縮袋。
【請求項１４】
前記袋体の端部に操作のための線材である操作線材が連結されるととともに、当該操作線材の操作により袋体が開封できる開封構造が設けられているものである請求項１１〜１３のいずれか１項に記載の補強シート圧縮袋。
【請求項１５】
前記補強シート内部には、長尺の風船体が挿入されているものである請求項１１〜１４のいずれか1項に記載の補強シート圧縮袋。
【手続補正２】
【補正対象書類名】明細書
【補正対象項目名】０００８
【補正方法】変更
【補正の内容】
【０００８】
請求項６に記載の発明は、中空パイプ体を補強するために筒状の補強シートを当該中空パイプ体内に貼り付ける工法であって、以下の（２０１）〜（２０６）の要件を備える中空パイプ体補強シート貼付工法である。
（２０１） 前記補強シートを細く畳んだものを気密性シートで形成された袋体内に入れ、内部の空気を抜いて圧縮した補強シート圧縮袋を用いる。
（２０２） 前記補強シート圧縮袋には、弁体が設けられた内部に連通する第一連通口が設けられる。
（２０３） 前記第一連通口から接着剤を流入させ前記補強シート圧縮袋内部の前記補強シートに接着剤を含浸させる接着剤含浸工程を有する。
（２０４） 前記接着剤含浸工程の後、前記中空パイプ体側面に設けられた中空パイプ体内部に連通する孔であるパイロット孔から前記補強シート圧縮袋を前記中空パイプ体内部に挿入する挿入工程を有する。
（２０５） 前記挿入工程の後、前記補強シート圧縮袋を構成する袋を前記パイロット孔から取り出す袋体取出工程を有する。
（２０６） 前記袋体取出工程の後、前記補強シート内部から外部へ力を加えて前記補強シートを前記中空パイプ体内に貼り付ける補強シート貼付工程を有する。
【手続補正３】
【補正対象書類名】明細書
【補正対象項目名】００１０
【補正方法】変更
【補正の内容】
【００１０】
請求項１０に記載の発明は、中空パイプ体を補強するために筒状の補強シートを当該中空パイプ体内に貼り付ける工法であって、以下の（３０１）〜（３０４）の要件を備える中空パイプ体補強シート貼付工法である。
（３０１） 前記補強シートを細く畳み、接着剤を含浸させた後、気密性シートで形成された袋体内に入れ、内部の空気を抜いて圧縮した補強シート圧縮袋を用いる。
（３０２） 前記中空パイプ体側面に設けられた中空パイプ体内部に連通する孔であるパイロット孔から前記補強シート圧縮袋を前記中空パイプ体内部に挿入する挿入工程を有する。
（３０３） 前記挿入工程の後、前記補強シート圧縮袋を構成する袋を前記パイロット孔から取り出す袋体取出工程を有する。
（３０４） 前記袋体取出工程の後、前記補強シート内部から外部へ力を加えて前記補強シートを前記中空パイプ体内に貼り付ける補強シート貼付工程を有する。
【手続補正４】
【補正対象書類名】明細書
【補正対象項目名】００１１
【補正方法】変更
【補正の内容】
【００１１】
請求項１１に記載の発明は、請求項１〜９のいずれか１項に記載の補強シート貼付工法に用いられる補強シート圧縮袋であって、筒状の補強シートと、細長く畳んだ前記補強シートを内部に入れる気密性シートで形成された袋体と、前記袋体に設けられる弁体が設けられた当該袋体内部に連通する１以上の連通口とを有し、前記袋体内に前記補強シートが入った状態で、少なくとも１つの連通口から空気を吸引することで前記袋体を圧縮した後に、すべての前記連通口の弁体を閉じたものである。
請求項１２に記載の発明は、請求項１０に記載の補強シート貼付工法に用いられる補強シート圧縮袋であって、筒状の補強シートと、細長く畳んだ前記補強シートを内部に入れる気密性シートで形成された袋体とを有し、前記袋体内に接着剤が含浸された前記補強シートが入った状態で、空気を吸引することで前記袋体を圧縮した後に、内部を閉じたものである。
【手続補正５】
【補正対象書類名】明細書
【補正対象項目名】００１２
【補正方法】変更
【補正の内容】
【００１２】
請求項１３に記載の発明は、前記補強シート圧縮袋において、前記補強シートには、内外を連通する線材である内部線材が設けられるものであって、前記袋体の封止状態を保持したまま、前記内部線材の一部が前記袋体外部に表出しているものである。
請求項１４に記載の発明は、前記補強シート圧縮袋において、前記袋体の端部に操作のための線材である操作線材が連結されるととともに、当該操作線材の操作により袋体が開封できる開封構造が設けられているものである。
請求項１５に記載の発明は、前記補強シート圧縮袋いおいて、前記補強シート内部には、長尺の風船体が挿入されているものである。